(57)【要約】【課題】枠へ袋を容易に取り付け或いは枠から取り外しすることのできるプランター及びこのプランターに用いられる植物育成袋を提供すること。【解決手段】上方に開口部を有し、有底の透水性シート材で形成される袋体からなり、内部に培地を収容して植物を育成する植物育成袋と、前記植物育成袋を支持するフレームとからなるプランターにおいて、前記フレームは上方にフレーム開口部を有し、前記フレーム開口部に所定の間隔及び所定の高さで切り欠かれた複数の凸部からなる支持部が設けられ、前記フレーム開口部には、前記袋体の開口端部を折り返し、前記凸部を収容できる幅で折り返し部を袋体に固定する取付部が形成され、前記支持部に前記取付部をかぶせることにより前記フレームに前記植物育成袋が支持され、前記取付部の高さが前記凸部の高さよりも低くされていることを特徴とする。【選択図】図１
0003167832.tif 000002
【実用新案登録請求の範囲】
【請求項１】
上方に開口部を有し、有底の透水性シート材で形成される袋体からなり、内部に培地を収容して植物を育成する植物育成袋と、
前記植物育成袋を支持するフレームとからなるプランターにおいて、
前記フレームは上方にフレーム開口部を有し、前記フレーム開口部に所定の間隔及び所定の高さで切り欠かれた複数の凸部からなる支持部が設けられ、
前記フレーム開口部には、前記袋体の開口端部を折り返し、前記凸部を収容できる幅で折り返し部を袋体に固定する取付部が形成され、前記支持部に前記取付部をかぶせることにより前記フレームに前記植物育成袋が支持され、前記取付部の高さが前記凸部の高さよりも低くされていることを特徴とするプランター。
【請求項２】
前記フレームは前記支持部を有する上フレームと前記支持部を支持する下フレームとからなることを特徴とする請求項１に記載のプランター。
【請求項３】
前記植物育成袋の下部に排水板が斜めに取り付けられていることを特徴とする請求項１に記載のプランター。
【請求項４】
上方に開口部を有し、有底の透水性シート材で形成される袋体からなり、内部に培地を収容して植物を育成する植物育成袋であって、
フレームの開口端部に設けられた凸部からなる支持部に前記開口部に設けられる取付部が支持されプランターとして使用される植物育成袋において、
前記袋体開口部には、前記袋体の開口端部を折り返し、前記凸部を収容できる幅で折り返し部を袋体に固定した取付部が形成されて、前記取付部の高さが前記凸部の高さよりも低いことを特徴とする植物育成袋。
【請求項５】
前記袋体は不織布を用いて形成されていることを特徴とする請求項４に記載の植物育成袋。
【請求項６】
前記取付部は袋体の開口端部を折り返して所定間隔で縫い付けられたものであることを特徴とする請求項４に記載の植物育成袋。
【考案の詳細な説明】
【技術分野】
【０００１】
本考案は、プランター及びこのプランターに用いられる植物育成袋に関し、特に、プランターに容易に取り付けることができると共に、土などの培地を収容した際に植物育成袋がプランター枠から外れることのないプランター及びこのプランターに用いられる植物育成袋に関する。
【背景技術】
【０００２】
従来、各種の植木、花卉等の観賞用植物を育てる容器として、植木鉢やプランターが使用されており、この植木鉢等は、育成する植物に応じて様々な形状、大きさのものが市販されている。植木鉢あるいはプランターのうち、植木鉢は陶磁器のものやプラスチック製のものがあり、さらには近年通気性を有する織物やシートによって形成されたプランターも知られている。また、これらの植木鉢或いはプランターとは異なるものであるが、果実野菜、葉物野菜、花卉あるいは根菜類などを育成及び栽培するものとして高設栽培装置が知られている（例えば、下記特許文献１〜３参照）。
【０００３】
例えば、下記特許文献１には、「プランター及び農業用ベッド」の考案が記載されている。この農業用ベッドは、不動部に立設した支柱部材により所定高さで略水平に配設したパイプ部材と、これらのパイプ部材間に中央部が垂れ下がるようにして取付けた栽培床とを備え、この栽培床を栽培植物の根の通過を阻止し得る大きさの孔隙を設けた透水性の内側シートと、この内側シートの外方で内側シートに対して所定間隔で配設した不透水性の外側シートとからなる二重シート材で構成したものである。この簡易ベッドは、また、一方のパイプ部材に巻取り装置を連結して、この巻取り装置により栽培床の高さを調節できるようになっている。
【０００４】
また、下記特許文献２には、「織物製プランター及びこれを製造する袋状織物」の発明が記載されている。このプランターは通気性を有する織物を用いて形成された有底袋状体を有し、有底袋状体はその上端側の部分の剛性が高められており、剛性が高められた部分に持ち手の端部分が取着されている。また、有底袋状体の外側には、支柱を保持する支柱保持部が設けられている。
【０００５】
また、下記特許文献３には、上方に開口部を有し有底の可撓性シート材からなり内部に培地Ｇを詰めて植物を育成する植物育成袋であって、上方に開口部を有し有底で培地を収容する透水性シート材からなる内袋と、内袋の開口部を除き、底部との間に所定の隙間をあけて外周囲を不透水性シート材で覆った外袋とを有し、開口部に支持棒が装着される取付け部が形成されている植物育成袋と、この植物育成袋が懸架される支持スタンドであって、植物育成袋の取付け部に装着される支持具と、支持具を所定の高さで保持する折畳み自在な支持フレームで構成された支持スタンドとからなる植物育成装置が記載されている。なお、この植物育成装置の発明は本件実用新案登録出願人の出願にかかるものである。
【先行技術文献】
【特許文献】
【０００６】
【特許文献１】実用新案登録第３１５８２５７号公報
【特許文献２】特開２００３−０１８９２１号公報
【特許文献３】特開２００８−０４８６４０号公報
【考案の概要】
【考案が解決しようとする課題】
【０００７】
陶磁器や素焼きの植木鉢は、作製工程が複雑で作製に時間がかかり、また重量が重く割れ易いといった欠点がある。これに対してプラスチック製の植木鉢及びプランターは、割れ難く、重量も軽いので扱いが容易であるが、その作製には金型及びこの金型を使用した射出成型設備等が必要になり、この金型及び射出成型設備は高価なものとなっている。このため、プラスチックを用いて種々の形状及びサイズの植木鉢あるいはプランターを作製しようとすると、これらの形状等に合わせた多種の金型が必要になり、これらは大量生産品には向いているものの、コストを考慮すると種々の形状のものを少量生産するには適していない。そのため、一般家庭において少量の異種の形状及びサイズの植木鉢あるいはプランターが要求されても、この要求に応じることが難しくなっている。また、これまでの植木鉢及びプランターは、所定の大きさを有していることから、使用しないときにはその保管スペースが必要となっている。
【０００８】
上記特許文献１に示されている「プランター及び農業用ベッド」は、培地を収容する長尺な容器及びこの長尺容器を支える架台で構成された大掛かりな装置であって、概ね専業農家向けの業務用のものである。このような長尺な容器に培地を詰めると重量が重くなり、さらに装置が大型であって、組み立てが容易でなく、また高価なものとなるため、一般家庭等においてはこのような装置を構築することは困難である。
【０００９】
一方、上記特許文献２に示されている織物製プランターは、織物からなる有底袋状体をプランターとして用いており、プラスチック製のプランターとは異なり、製造時に金型等を使用しないため、少量の異種の形状及びサイズのものを安価に生産することが可能である。さらに使用しないときには折りたたむことができるため保管スペースも要さない。しかし、有底袋状体は上端部以外の部分の剛性が高められていないことから、使用時には外部からの衝撃により変形し、内部の土がこぼれ出てしまう可能性がある。
【００１０】
上記特許文献３に示されている植物育成装置は、一般家庭用で持ち運び及び保管が簡単で安値な植物育成装置であり、支持フレームにより植物育成袋が支持されていることから、外部からの衝撃に強いものとなっている。しかし、植物育成袋を支持具に取り付ける際には支持フレームを分解せざるを得ず、支持具に植物育成袋を取り付け或いは支持具から取り外しすることは難しかった。
【００１１】
本考案は上記のような従来技術に鑑みてなされたもので、本考案の目的は、枠へ袋を容易に取り付け或いは枠から取り外しすることのできるプランター及びこのプランターに用いられる植物育成袋を提供することにある。
【課題を解決するための手段】
【００１２】
上記の課題を解決するため、本考案のプランターは、上方に開口部を有し、有底の透水性シート材で形成される袋体からなり、内部に培地を収容して植物を育成する植物育成袋と、前記植物育成袋を支持するフレームとからなるプランターにおいて、前記フレームは上方にフレーム開口部を有し、前記フレーム開口部に所定の間隔及び所定の高さで切り欠かれた複数の凸部からなる支持部が設けられ、前記フレーム開口部には、前記袋体の開口端部を折り返し、前記凸部を収容できる幅で折り返し部を袋体に固定する取付部が形成され、前記支持部に前記取付部をかぶせることにより前記フレームに前記植物育成袋が支持され、前記取付部の高さが前記凸部の高さよりも低くされていることを特徴とする。
【００１３】
本考案のプランターによると、植物育成袋はシート材を加工することにより簡単に作製することができるため、従来のプラスチック製の植木鉢及びプランター等のように金型及び金型を使用した製造設備が不要となり安価に作製できる。また、袋は不使用時に折畳むことができるので、保管スペースを小さくできる。また、フレームに支持部が設けられていることにより簡単にフレームに植物育成袋を取り付けることができる。さらに、植物育成袋の取付部の高さが支持部の高さよりも低いため、培地を植物育成袋に入れた際に培地の重みで植物育成袋が真下方向に引っ張られるため、植物育成袋がフレームから外れにくくなる。
【００１４】
また、本考案のプランターにおいては、前記フレームは前記支持部を有する上フレームと前記支持部を支持する下フレームとからなるものとすることができる。
【００１５】
本考案のプランターにおいては、フレームが支持部を有する上フレームと下フレームの２つの部品の組み合わせで作製されるため、従来のプランターよりも必要な材料が少なく、製造コストを抑えることができるとともに、軽量かつ小型にすることができる。また、形状や大きさの異なるプランターにおいても同じ部品を流用することができるため、コストを抑えることが可能となる。
【００１６】
また、本考案のプランターにおいては、前記植物育成袋の下部に排水板が斜めに取り付けられているものとすることができる。
【００１７】
本考案のプランターにおいては、植物育成袋の下部に排水板が斜めに取り付けられていることにより、植物育成袋を透過した水を受け止めることができ、プランターの周囲を過度に汚すことがない。さらに、排水板が斜めに取り付けられているため、排水の流れる方向を希望の方向にすることが容易である。
【００１８】
また、上記の課題を解決するため、本考案の植物育成袋は、上方に開口部を有し、有底の透水性シート材で形成される袋体からなり、内部に培地を収容して植物を育成する植物育成袋であって、フレームの開口端部に設けられた凸部からなる支持部に前記開口部に設けられる取付部が支持されプランターとして使用される植物育成袋において、前記袋体開口部には、前記袋体の開口端部を折り返し、前記凸部を収容できる幅で折り返し部を袋体に固定した取付部が形成されて、前記取付部の高さが前記凸部の高さよりも低いことを特徴とする。
【００１９】
本考案の植物育成袋はシート材を加工することにより簡単に作製することができるため、従来のプラスチック製の植木鉢及びプランター等のように金型及び金型を使用した製造設備が不要となり、安価に作製できる。また、袋は不使用時に折畳むことができるので、保管スペースを小さくできる。また、植物育成袋の取付部の高さが支持部の高さよりも低いため、培地を植物育成袋に入れた際に培地の重みで植物育成袋が真下方向に引っ張られるため、植物育成袋がフレームから外れ難くなる。
【００２０】
また、本考案の植物育成袋においては、前記袋体は不織布を用いて形成されているものとすることができる。
【００２１】
本考案の植物育成袋においては、袋体に不織布を用いているため、通気性及び通水製に優れている植物育成袋が得られる。
【００２２】
また、本考案の植物育成袋においては、前記取付部は袋体の開口端部を折り返して所定間隔で縫い付けられたものとすることができる。
【００２３】
本考案の植物育成袋においては、袋体の開口端部を折り返し、所定間隔で縫い付けることにより取付部を形成することにより、より強固に取付部を形成することができる。
【図面の簡単な説明】
【００２４】
【図１】本考案の実施形態に係るプランターの斜視図である。
【図２】図１のプランターを構成するフレームの斜視図である。
【図３】図２のフレームを構成する上フレームの斜視図である。
【図４】図４Ａは図２のフレームを構成する下フレームの斜視図、図４Ｂは図４ＡのＸ方向から見た側面図である。
【図５】図１のプランターから取り外された状態の袋の斜視図である。
【考案を実施するための形態】
【００２５】
以下、図面を参照して本考案の実施形態を説明する。但し、以下に示す実施形態は、本考案の技術思想を具体化するためのプランター用袋及びこのプランター用袋を使用したプランターを例示するものであって、本考案をこれらに特定することを意図するものではなく、実用新案登録請求の範囲に含まれるその他の実施形態のものにも等しく適応し得るものである。
【００２６】
本考案の実施形態に係るプランターの構造について、図１〜図５を用いて説明する。なお、図１は本考案の実施形態に係るプランターの斜視図、図２は図１のプランターを構成するフレームの斜視図、図３は図２のフレームを構成する上フレームの斜視図、図４Ａは図２のフレームを構成する下フレームの斜視図、図４Ｂは図４ＡのＸ方向から見た側面図、図５は図１のプランターから取り外された状態の袋の斜視図である。
【００２７】
プランター１は、図１に示すように、所定量の土などの培地、水及び肥料等を収容できる植物育成袋２と、この植物育成袋２を支持するフレーム３及び植物育成袋２を透過した水を任意の方向へ排水する排水板４とを備えている。フレーム３は、さらに植物育成袋２を支持する上フレーム５と、上フレーム５を支持し、排水板４が取り付けられる下フレーム６を有している。
【００２８】
フレーム３を形成する上フレーム５及び下フレーム６は、それぞれ合成樹脂板を切断し、折り曲げ、溶着又は接着あるいはねじ止めなどで固定することにより形成される。なお、上フレーム５及び下フレーム６の形成材料としては、合成樹脂板の他、アルミニウム等の金属板や木材を使用して形成しても良い。上フレーム５は、図２に示すように、所定の厚さを有する合成樹脂板を四辺として形成される枠体７と、枠体７で囲まれたフレーム開口８と、フレーム開口８の周囲に、枠体７から延出し、植物育成袋２を支持する支持部９を有している。支持部９は、図３に示すように、上フレーム５の上端を所定の高さ及び幅で切り欠いて櫛歯状に形成されており、凹部９ａと凸部９ｂとからなる。この凸部９ｂが植物育成袋２の袋状の取付部１９に差し込まれ、植物育成袋２を支持する。
【００２９】
下フレーム６は、図４に示すように、本実施形態では所定の厚さを有する長方形の合成樹脂板を折り曲げて形成されており、底部１０と、底部１０から対向して垂直に立ち上がる２つの側壁部１１ａ、１１ｂと、側壁部１１ａ、１１ｂの両端にそれぞれ形成される上フレーム支持部１２ａ、１２ｂとを有する。側壁部１１ａ、１１ｂの両端部を外方にほぼ垂直に折り曲げることにより、上フレームの枠体７の厚さ分の幅を有する上フレーム支持部１２ａ、１２ｂが形成され、さらに側壁部１１ａ、１１ｂの両端部を再度上方に垂直に折り曲げて上フレーム支持部側壁１３ａ、１３ｂが形成されている。この上フレーム支持部１２ａ、１２ｂに上フレーム５を戴置することにより、フレーム３が組み立てられる。また、側壁部１１ａ、１１ｂの内側には、上フレーム支持部１２ａ、１２ｂよりも低い位置に排水板４を支持する排水板支持部１４ａ、１４ｂが対向して設けられている。
【００３０】
本実施形態においては、２個の同型の下フレーム６を用いて上フレーム５を支持しているが、下フレーム６の底部１０の面積を広くして１個の下フレーム６を使用することもでき、また下フレーム６を３個以上用いてより大きなプランター１とすることもできる。また、上フレーム支持部１２ａ、１２ｂは側壁部１１ａ、１１ｂの両端部を折り曲げて一体に形成するほか、別部材として側壁部１１ａ、１１ｂにそれぞれ取り付けてもよい。この場合、上フレーム支持部１２ａ、１２ｂは側壁部１１ａ、１１ｂの端部に設けても良いが、側壁部１１ａ、１１ｂを上フレーム支持部１２ａ、１２ｂより上部に延長してもよい。この場合、側壁部１２ａ、１２ｂの上部と上フレーム支持部側壁１３ａ、１３ｂによって上フレーム５が内側、外側の両面から支持されるため、より上フレーム５を安定して支持することができる。
【００３１】
このように、フレーム３はすべて板状体から成形されるため、従来のプランターのような金型を必要とせず、また従来のプランターよりも必要な材料を少なくでき、製造コストを抑えることができる。さらに、フレーム３は上フレーム５と下フレーム６の２つの部品の組み合わせで作製されるため、従来のプランターよりも必要な材料が少なく、製造コストを抑えることができるとともに、軽量かつ小型にすることができる。また、形状や大きさの異なるプランターにおいても同じ部品を流用することができるため、さらにコストを抑えることが可能となる。
【００３２】
排水板４は、植物育成袋２の底部１８とほぼ同じか、それよりも大きく、かつ下フレーム６の内部に収容される大きさの矩形状の合成樹脂板又は金属板から形成されている。本実施形態においては、長辺と平行な複数の溝１５を有しており、この溝を伝わって、植物育成袋を透過した水が一方に排出される。なお、溝１５の方向はプランター１の設置場所に応じて変更させることができる。排水板４は、フレーム３が組み立てられた後、フレーム３の開口部等から内部に入れられて、側壁部の４か所に設けられた排水板支持部１４ａ、１４ｂのうちの２か所で支持され、一方の溝１５の終端を底部３またはプランターを戴置する床面に接するように斜めに配置される。このように植物育成袋２の下部に排水板４が斜めに取り付けられていることにより、植物育成袋２を透過した水を受け止めることができ、プランター１の周囲を過度に汚すことがない。さらに、排水板４が斜めに取り付けられているため、排水の流れる方向を希望の方向にすることが容易である。
【００３３】
植物育成袋２は、図５に示すように、開口部１７及び他方に底部１８を有し、所定量の培地を収容する袋体１６からなり、開口部１７の端部に上フレーム５に装着される取付部１９が形成されている。袋体１６は通気性及び通水性に優れた不織布などの透水性シート材を折り曲げ、端部を接着することにより形成される。本実施形態においては、透水性シート材として不織布が用いられているが、ポリエチレン、ポリ塩化ビニル、ポリプロピレン、ポリスチレン、ＡＢＳ樹脂、ＡＥＳ樹脂などの合成樹脂に貫通孔を設けたもの、あるいは、布等を使用してもよい。
【００３４】
取付部１９は、袋体１６の開口端部を折り返し、所定間隔で縫い付けることにより、支持部９の凸部９ｂを差し込むことができるように、袋状に形成されている。このとき、取付部１９の高さ、すなわち開口端部を折り返す長さは、上フレーム５の凸部９ｂの高さより低くなっている。なお、本実施形態では取付部１９を形成するために開口端部を縫い付けているが、溶着、接着またはその他の手段により、凸部９ｂを収容できる袋状に形成しても良い。
【００３５】
プランター１の組み立ては、フレーム３に排水板４と植物育成袋２を取り付けることにより行われる。植物育成袋２をフレーム３に取り付ける際には、フレーム３の支持部９の凸部９ｂに、植物育成袋２の開口端部に設けられた袋状の取付部１９をそれぞれかぶせることにより植物育成袋２をフレーム３に固定する。ここで、組み立てられたプランター１の植物育成袋２の内部に培地が収容されると、培地の重さにより、植物育成袋２の取付部１９は下向きの力を受けることとなる。この下向きの力により、植物育成袋２はより強固にフレーム３に固定されることとなる。
【００３６】
なお、植物育成袋２をフレーム３に取り付けた状態では、取付部１９の高さ、すなわち開口端部を折り返す長さは、上フレーム５の支持部９の高さより低くなっているために支持部９の下端と取付部１９の下端の間に隙間ｈが形成される。この隙間ｈが形成されない状態、すなわち、取付部１９の高さが上フレーム５の支持部９の高さと等しいかそれよりも高い場合には、培地の重さによる下向きの力に加えて、取付部１９の縫い目２０にプランター内側への力がかかるため、取付部の縫い目２０の糸が切れたり、あるいは縫い目２０周辺の透水性シート材が破れるなど取付部１９が破損しやすくなる。このため、隙間ｈを形成することにより、取付部１９の強度を高めることができる。
【符号の説明】
【００３７】
１…プランター
２…植物育成袋
３…フレーム
４…排水板
５…上フレーム
６…下フレーム
７…枠体
８…フレーム開口
９…支持部
１０…底部
１１ａ、１１ｂ…側壁部
１２ａ、１２ｂ…上フレーム支持部
１３ａ、１３ｂ…上フレーム支持部側壁
１４ａ、１４ｂ…排水板支持部
１５…溝
１６…袋体
１７…開口部
１８…底部
１９…取付部
２０…縫い目
【図１】
0003167832.tif 000003
【図２】
0003167832.tif 000004
【図３】
0003167832.tif 000005
【図４】
0003167832.tif 000006
【図５】
0003167832.tif 000007